(57)【要約】【課題】選択信号を共通とする同じタイミングで点灯する画素間での駆動信号のクロストークをなくした露光装置及びそれを用いた画像形成装置を提供すること。【解決手段】発光素子としての有機ＥＬ素子３４と、有機ＥＬ素子３４を駆動する駆動トランジスタ３３と、画素選択用スイッチとしての選択トランジスタ３０と、画素の表示輝度に対応した信号電荷を保持するための保持コンデンサ３２と、を備えた画素ａを主走査方向に配列してなる露光ヘッド基板２３を備え、光学印字ヘッドは、１列あるいは複数列配列された画素のうち、同じ発光タイミングを有し、隣接する駆動信号線に接続された２つの画素ａ１、ｂ１の選択トランジスタをそれぞれ別個の選択信号線を介して異なるタイミングで選択状態とする。【選択図】      図５
2008126589.tif 000002
【特許請求の範囲】
【請求項１】
ライン状に配列された複数の画素を備えて、画像データに応じた露光を行う露光装置において、
前記各画素は発光素子を有し、
前記複数の画素は所定数の前記画素からなる複数の画素群に分割され、該各画素群における前記各画素が時分割で駆動され、
各画素群に前記発光素子を駆動するための前記画像データに基づく駆動信号が供給され、少なくとも一部が互いに並列される複数の駆動信号線と、
前記各画素群における前記各画素に対応して設けられ、該各画素を選択状態として前記駆動信号を書き込むための選択信号が供給される複数の選択信号線と、
を備え、
前記複数の選択信号線は、前記各画素群において同じ発光タイミングで駆動される画素のうち、隣接する駆動信号線を介して駆動信号が供給される２つの前記画素に対して別個に設けられ、当該２つの画素を選択状態とするタイミングが異なるタイミングに設定されることを特徴とする露光装置。
【請求項２】
前記各画素群はライン状に配列された前記複数の画素における、隣接して配列された前記所定数の画素からなり、
前記複数の選択信号線は、奇数番目の前記各画素群における前記所定数の画素の各々に対して共通に設けられ、偶数番目の前記各画素群における前記所定数の画素の各々に対して共通に設けられていることを特徴とする請求項１記載の露光装置。
【請求項３】
前記各画素は、少なくとも、前記発光素子と、電流路の一端が前記発光素子に接続された駆動トランジスタと、制御端子が前記選択信号線に接続され、電流路の他端が前記駆動トランジスタの電流路の他端に接続された保持トランジスタと、一端が前記駆動トランジスタの制御端子に接続され、他端が前記駆動トランジスタの電流路の一端に接続された保持コンデンサと、を備え、
前記各画素群の前記各画素の前記駆動トランジスタの電流路の他端に共通に接続されて設けられ、前記選択信号に応じて当該画素が選択状態とされたとき、前記駆動トランジスタの電流路に前記駆動信号に応じた電流を流して、対応する電荷を前記保持コンデンサに保持するとともに前記発光素子を非発光状態とし、当該画素が非選択状態とされたとき、前記保持コンデンサに保持された電荷に基づく電流を前記発光素子に供給して発光状態とする保持信号が供給される複数の保持信号線を有することを特徴とする請求項１記載の露光装置。
【請求項４】
前記各画素は、更に、制御端子が前記選択信号線に接続され、電流路の一端が前記駆動トランジスタの電流路の一端に接続され、電流路の他端が前記駆動信号線に接続された選択トランジスタを備え、
前記選択信号に応じて当該画素が選択状態とされたとき、前記駆動信号線から前記選択トランジスタを介して、前記駆動トランジスタの電流路に前記駆動信号に応じた電流が流れることを特徴とする請求項３記載の露光装置。
【請求項５】
前記各駆動信号線は、１つの前記画素群における所定数の画素に共通に接続されることを特徴とする請求項１記載の露光装置。
【請求項６】
前記発光素子アレイにおける前記各発光素子は有機ＥＬ素子であることを特徴とする請求項１乃至５の何れかに記載の露光装置。
【請求項７】
感光体ドラムと帯電器と露光器と現像器とを備えて、画像データに応じた印刷を行う画像形成装置において、
前記露光器は、発光素子を有して主走査方向に配列された複数の画素を有し、
前記複数の画素は所定数の前記画素からなる複数の画素群に分割され、該各画素群における前記各画素が時分割で駆動され、
各画素群に前記発光素子を駆動するための前記画像データに基づく駆動信号が供給され、少なくとも一部が互いに並列される複数の駆動信号線と、
前記各画素群における前記各画素に対応して設けられ、該各画素を選択状態として前記駆動信号を書き込むための選択信号が供給される複数の選択信号線と、
を備え、
前記複数の選択信号線は、前記各画素群において同じ発光タイミングで駆動される画素のうち、隣接する駆動信号線を介して駆動信号が供給される２つの前記画素に対して別個に設けられ、当該２つの画素を選択状態とするタイミングが異なるタイミングに設定されることを特徴とする画像形成装置。
【請求項８】
前記各画素群は、前記主走査方向に配列された前記複数の画素における、隣接して配列された前記所定数の画素からなり、
前記複数の選択信号線は、奇数番目の前記各画素群における前記所定数の画素の各々に対して共通に設けられ、偶数番目の前記各画素群における前記所定数の画素の各々に対して共通に設けられていることを特徴とする請求項７記載の画像形成装置。
【請求項９】
前記各画素は、少なくとも、前記発光素子と、電流路の一端が前記発光素子に接続された駆動トランジスタと、制御端子が前記選択信号線に接続され、電流路の他端が前記駆動トランジスタの電流路の他端に接続された保持トランジスタと、一端が前記駆動トランジスタの制御端子に接続され、他端が前記駆動トランジスタの電流路の一端に接続された保持コンデンサと、を備え、
前記各画素群の前記各画素の前記駆動トランジスタの電流路の他端に共通に接続されて設けられ、前記選択信号に応じて当該画素が選択状態とされたとき、前記駆動トランジスタの電流路に前記駆動信号に応じた電流を流して、対応する電荷を前記保持コンデンサに保持するとともに前記発光素子を非発光状態とし、当該画素が非選択状態とされたとき、前記保持コンデンサに保持された電荷に基づく電流を前記発光素子に供給して発光状態とする保持信号が供給される複数の保持信号線を有することを特徴とする請求項７記載の画像形成装置。
【請求項１０】
前記各画素は、更に、制御端子が前記選択信号線に接続され、電流路の一端が前記駆動トランジスタの電流路の一端に接続され、電流路の他端が前記駆動信号線に接続された選択トランジスタを備え、
前記選択信号に応じて当該画素が選択状態とされたとき、前記駆動信号線から前記選択トランジスタを介して、前記駆動トランジスタの電流路に前記駆動信号に応じた電流が流れることを特徴とする請求項９記載の画像形成装置。
【請求項１１】
前記各駆動信号線は、１つの前記画素群における所定数の画素に共通に接続されることを特徴とする請求項７記載の画像形成装置。
【請求項１２】
前記発光素子アレイにおける前記各発光素子は有機ＥＬ素子であることを特徴とする請求項７乃至１１の何れかに記載の画像形成装置。
【発明の詳細な説明】
【技術分野】
【０００１】
本発明は、電子写真方式等の画像形成装置における露光装置、及びそれを用いた画像形成装置に関するものである。
【背景技術】
【０００２】
電子写真方式等の画像形成装置（プリンタ装置）においては、画像形成のための露光装置を有している。近年、この露光装置の光源として、有機ＥＬ素子等の発光素子を利用する試みが各種なされてきている。このような発光素子を各画素に用いた画像表示装置では、画素を選択するとともに発光素子を駆動するための駆動電圧に応じた駆動電流を発光素子に供給するための複数のトランジスタや印加された駆動電圧を保持するための保持コンデンサ等が各画素に設けられている。例えば、特許文献１には、このような構成の画像表示装置が開示されている。
【０００３】
また、特許文献２には、発光素子を備えた露光装置において、選択的に時分割駆動される複数の発光素子をライン状に形成したチップ上に発光駆動用の共通電極を複数設けた構成を開示している。
【特許文献１】特開２００２−１５６９２３公報
【特許文献２】特開平１１−２４５４４０号公報
【発明の開示】
【発明が解決しようとする課題】
【０００４】
しかしながら、露光装置の各発光素子に従来の画像表示装置の画素におけると同等の複数のトランジスタや保持コンデンサを設けて、複数の画素毎を順次選択して時分割駆動するようにした場合、同時に選択されて駆動信号が書き込まれるとともに同じタイミングで点灯する複数の画素間で、配線間の寄生容量に起因して駆動信号のクロストークが発生することがあるという問題がある。
【０００５】
本発明は、上記問題に鑑みてなされたものであり、その目的とするところは、同じタイミングで点灯する画素間での駆動信号のクロストークをなくした露光装置及びそれを用いた画像形成装置を提供することにある。
【課題を解決するための手段】
【０００６】
上記の目的を達成するために、本発明の請求項１に記載の発明は、ライン状に配列された複数の画素を備えて、画像データに応じた露光を行う露光装置において、前記各画素は発光素子を有し、前記複数の画素は所定数の前記画素からなる複数の画素群に分割され、該各画素群における前記各画素が時分割で駆動され、各画素群に前記発光素子を駆動するための前記画像データに基づく駆動信号が供給され、少なくとも一部が互いに並列される複数の駆動信号線と、前記各画素群における前記各画素に対応して設けられ、該各画素を選択状態として前記駆動信号を書き込むための選択信号が供給される複数の選択信号線と、を備え、前記複数の選択信号線は、前記各画素群において同じ発光タイミングで駆動される画素のうち、隣接する駆動信号線を介して駆動信号が供給される２つの前記画素に対して別個に設けられ、当該２つの画素を選択状態とするタイミングが異なるタイミングに設定されることを特徴とする。
【０００７】
請求項２に記載の露光装置は、請求項１記載の露光装置において、前記各画素群はライン状に配列された前記複数の画素における、隣接して配列された前記所定数の画素からなり、前記複数の選択信号線は、奇数番目の前記各画素群における前記所定数の画素の各々に対して共通に設けられ、偶数番目の前記各画素群における前記所定数の画素の各々に対して共通に設けられていることを特徴とする。
【０００８】
請求項３に記載の露光装置は、請求項１記載の露光装置において、前記各画素は、少なくとも、前記発光素子と、電流路の一端が前記発光素子に接続された駆動トランジスタと、制御端子が前記選択信号線に接続され、電流路の他端が前記駆動トランジスタの電流路の他端に接続された保持トランジスタと、一端が前記駆動トランジスタの制御端子に接続され、他端が前記駆動トランジスタの電流路の一端に接続された保持コンデンサと、を備え、前記各画素群の前記各画素の前記駆動トランジスタの電流路の他端に共通に接続されて設けられ、前記選択信号に応じて当該画素が選択状態とされたとき、前記駆動トランジスタの電流路に前記駆動信号に応じた電流を流して、対応する電荷を前記保持コンデンサに保持するとともに前記発光素子を非発光状態とし、当該画素が非選択状態とされたとき、前記保持コンデンサに保持された電荷に基づく電流を前記発光素子に供給して発光状態とする保持信号が供給される複数の保持信号線を有することを特徴とする。
【０００９】
請求項４に記載の露光装置は、請求項３記載の露光装置において、前記各画素は、更に、制御端子が前記選択信号線に接続され、電流路の一端が前記駆動トランジスタの電流路の一端に接続され、電流路の他端が前記駆動信号線に接続された選択トランジスタを備え、前記選択信号に応じて当該画素が選択状態とされたとき、前記駆動信号線から前記選択トランジスタを介して、前記駆動トランジスタの電流路に前記駆動信号に応じた電流が流れることを特徴とする。
【００１０】
請求項５に記載の露光装置は、請求項１記載の露光装置において、前記各駆動信号線は、１つの前記画素群における所定数の画素に共通に接続されることを特徴とする。
【００１１】
請求項６に記載の露光装置は、請求項１乃至５の何れかに記載の露光装置において、前記発光素子アレイにおける前記各発光素子は有機ＥＬ素子であることを特徴とする。
【００１２】
請求項７に記載の発明は、感光体ドラムと帯電器と露光器と現像器とを備えて、画像データに応じた印刷を行う画像形成装置において、前記露光器は、発光素子を有して主走査方向に配列された複数の画素を有し、前記複数の画素は所定数の前記画素からなる複数の画素群に分割され、該各画素群における前記各画素が時分割で駆動され、各画素群に前記発光素子を駆動するための前記画像データに基づく駆動信号が供給され、少なくとも一部が互いに並列される複数の駆動信号線と、前記各画素群における前記各画素に対応して設けられ、該各画素を選択状態として前記駆動信号を書き込むための選択信号が供給される複数の選択信号線と、を備え、前記複数の選択信号線は、前記各画素群において同じ発光タイミングで駆動される画素のうち、隣接する駆動信号線を介して駆動信号が供給される２つの前記画素に対して別個に設けられ、当該２つの画素を選択状態とするタイミングが異なるタイミングに設定されることを特徴とする。
【００１３】
請求項８に記載の画像形成装置は、請求項７記載の画像形成装置において、前記各画素群は、前記主走査方向に配列された前記複数の画素における、隣接して配列された前記所定数の画素からなり、前記複数の選択信号線は、奇数番目の前記各画素群における前記所定数の画素の各々に対して共通に設けられ、偶数番目の前記各画素群における前記所定数の画素の各々に対して共通に設けられていることを特徴とする。
【００１４】
請求項９に記載の画像形成装置は、請求項７記載の画像形成装置において、前記各画素は、少なくとも、前記発光素子と、電流路の一端が前記発光素子に接続された駆動トランジスタと、制御端子が前記選択信号線に接続され、電流路の他端が前記駆動トランジスタの電流路の他端に接続された保持トランジスタと、一端が前記駆動トランジスタの制御端子に接続され、他端が前記駆動トランジスタの電流路の一端に接続された保持コンデンサと、を備え、前記各画素群の前記各画素の前記駆動トランジスタの電流路の他端に共通に接続されて設けられ、前記選択信号に応じて当該画素が選択状態とされたとき、前記駆動トランジスタの電流路に前記駆動信号に応じた電流を流して、対応する電荷を前記保持コンデンサに保持するとともに前記発光素子を非発光状態とし、当該画素が非選択状態とされたとき、前記保持コンデンサに保持された電荷に基づく電流を前記発光素子に供給して発光状態とする保持信号が供給される複数の保持信号線を有することを特徴とする。
【００１５】
請求項１０に記載の画像形成装置は、請求項９記載の画像形成装置において、前記各画素は、更に、制御端子が前記選択信号線に接続され、電流路の一端が前記駆動トランジスタの電流路の一端に接続され、電流路の他端が前記駆動信号線に接続された選択トランジスタを備え、前記選択信号に応じて当該画素が選択状態とされたとき、前記駆動信号線から前記選択トランジスタを介して、前記駆動トランジスタの電流路に前記駆動信号に応じた電流が流れることを特徴とする。
【００１６】
請求項１１に記載の画像形成装置は、請求項７記載の画像形成装置において、前記各駆動信号線は、１つの前記画素群における所定数の画素に共通に接続されることを特徴とする。
【００１７】
請求項１２に記載の画像形成装置は、請求項７乃至１１の何れかに記載の画像形成装置において、前記発光素子アレイにおける前記各発光素子は有機ＥＬ素子であることを特徴とする。
【発明の効果】
【００１８】
隣接する駆動信号線に接続され、同じ点灯タイミングを有する画素間で書き込みを行うタイミングが異なるタイミングに設定されていることにより、画素に書き込まれる駆動信号の値が、駆動信号線間の寄生容量によって隣接した駆動信号線に印加される駆動信号の値に影響されないようにして、画素間の駆動信号のクロストークをなくすことができる。
【発明を実施するための最良の形態】
【００１９】
以下、図面を参照して本発明の実施形態を詳細に説明する。
【００２０】
（第１実施形態）
図１は、本発明が適用される電子写真方式による画像形成装置（プリンタ装置）の概略構成を示す図である。感光体ドラム１は、帯電器２により一様に帯電された後、露光器（露光装置）３に備えられた発光装置からの光照射により静電潜像が形成される。次に、この静電潜像を具現化するために現像器４にてトナーを付着させる。トナー像は転写器６と感光体ドラム１との間で用紙５に転写される。トナーの付着した用紙５は定着器７で熱定着された後、排出される。
【００２１】
また、感光体ドラム１上の微量の転写漏れトナーはクリーナー９にて除去され、更に感光体ドラム１の表面は除電器８によって一様に除電される。
【００２２】
ここで、上記した発光装置は、記録走査の主走査方向（感光体ドラムの幅方向、つまり用紙の幅方向）に一列に配設された多数の発光素子からなる発光素子アレイを備えており、各発光素子は、例えば有機ＥＬからなる。この発光素子アレイは、例えば、Ａ４サイズの用紙を縦方向に用いて、その幅一杯に印字密度１２００ｄｐｉ（ドット／インチ）で印字可能なプリンタ装置の場合であれば、およそ１４０００個の発光素子を備えている。これらの個々の発光素子には、ホスト機器から出力される印字情報に従ったパルス電圧が印加され、個々の発光素子が選択的に発光制御される。有機ＥＬを用いた発光デバイスは、近年盛んに研究されている。電子写真プロセスの光源に、ＬＥＤに代わり有機ＥＬを採用することで、各ＬＥＤに接続していたワイヤーボンディングの本数を削減することができて、コストを削減することができる。
【００２３】
図２は、図１で説明した露光器３に備えられた発光装置の構成の概要を示す図である。発光装置は、システムコントローラ２０と、データドライバ２１、スキャンドライバ２２と、露光ヘッド基板２３とによって構成される。露光ヘッド基板２３には、各々が例えば４個の画素からなるａ〜ｆの画素群が配置されている。
【００２４】
図２に示す発光装置において画像データに合わせた露光が行われる場合、まず、システムコントローラ２０は、図示せぬ印刷装置のラスターイメージプロセッサ部より画像データと、用紙サイズと搬送速度に合わせた水平制御信号HSYNC及び垂直制御信号を受信する。データドライバ２１は、出力信号として、システムコントローラ２０からの制御信号に合わせて各画素のオンオフ及び画素データに応じた階調信号に基づく電圧値を有する複数の駆動電圧（Ｖdata1〜Ｖdata6）を生成して露光ヘッド基板２３に供給する。また、スキャンドライバ２２は、システムコントローラ２０からの制御信号に合わせて画素を選択状態とするための複数の選択信号（Select１〜Select４）、及び、点灯状態とするための複数の保持信号（Source１〜Source４）を生成して供給する機能を備える。
【００２５】
図３は、図２に示す露光ヘッド基板２３の、本発明の効果を説明するための、比較対象としての等価回路である。また、図４は、その駆動タイミングチャートである。図３は、図２に示す露光ヘッド基板２３上の画素群ａ〜ｆのうち、４つの画素ａ１〜ａ４からなる画素群ａと、４つの画素ｂ１〜ｂ４からなる画素群ｂの一部（画素ｂ１、ｂ２）とを示している。各画素は、例えば、薄膜トランジスタで構成され、画素の選択用スイッチとしての選択トランジスタ３３と、発光素子としての有機ＥＬ素子３４と、薄膜トランジスタで構成され、有機ＥＬ駆動用の駆動トランジスタ３１と、薄膜トランジスタで形成された保持トランジスタ３０と、画素の表示輝度に対応した信号電荷を保持するための保持コンデンサ３２とを具備して構成される。
【００２６】
図３に示す露光ヘッド基板２３においては、各駆動電圧が印加される複数の駆動信号線と、各選択信号が印加される複数の選択信号線と、各保持信号が印加される複数の保持信号線とを有し、各選択信号線に印加される選択信号がハイレベルとされる画素の選択期間に、データドライバ２１から階調信号に基づく電圧値を有する駆動電圧Ｖdata1〜Ｖdata6が各駆動信号線に印加され、選択トランジスタ３３を介して駆動トランジスタ３１に印加されて、保持コンデンサ３２に、駆動トランジスタ３１の電流路に流れる電流に対応した電荷が蓄積される。そして、選択信号がローレベルとされ、保持信号線に印加される保持信号がハイレベルとされる保持期間に、保持コンデンサ３２に蓄積された電荷に応じた電流が駆動トランジスタ３１から有機ＥＬ素子３４に供給され、この電流の電流値に応じた輝度で有機ＥＬ素子３４が点灯するように構成される。
【００２７】
また、各駆動信号線にリセットトランジスタ３５，３６が設けられ、選択期間の初期にリセットトランジスタ３５，３６をオンにして保持コンデンサ３２に充電された電荷を放電させるように構成される。
【００２８】
図４に示す水平制御信号HSYNCは印刷装置の主走査方向の同期信号であり、アクティブ〜アクティブ期間が１ラインに許されるドット形成処理時間（１ライン時間）である。例えば１dot＝1200dpi×1200dpi、40ppm、用紙間50mmでA4横サイズの光源ユニットを用いるとすると、１ライン時間は、(（25.4mm/1200dpi）/（210mm×40枚＋50mm×40枚）)/60≒122μsecとなる。
【００２９】
データドライバ２１は、HSYNCがアクティブ〜アクティブである期間（１ライン時間）に、感光体ドラム１を露光して潜像を形成するのに必要な光エネルギーが得られるように、各画素を駆動して所定の時間発光させる。
【００３０】
発光時間を１ライン時間に対して十分短期間とすることで、発光素子アレイの複数の発光素子を所定数の発光素子毎に時分割で発光させるようにすることで、駆動信号線の本数を減らすことができ、データドライバ２１の１本の出力で１つの画素群の複数の画素のアノードと接続し、画素群の各画素をスキャンドライバ２２で順次選択状態及び点灯状態として時分割駆動するように構成されている。
【００３１】
図３に示す構成においては、データドライバ２１の１本の駆動信号で１つの画素群の４個の画素を駆動するように構成され、データドライバ２１から露光ヘッド基板２３へ出力信号が供給される駆動信号線は６個の画素群ａ〜ｆに対応した６本設けられている。また、スキャンドライバ２２から露光ヘッド基板２３へ送られる選択信号が供給される選択信号線及び保持信号が供給される保持信号線は、それぞれ各画素群ａ〜ｆの４個の画素数に応じた４本設けられている。
【００３２】
図３のようにスキャンドライバ２２との接続を４個の画素を１単位で実施したときに、1200dpi/40PPMであれば、各選択信号は122/4μsec＝30.5μsecずつシフトした信号となり、各保持信号は選択信号がローレベルとされた期間内でハイレベルとされ、この場合、122-30.5＝91.5μsecまでの発光が行える。すなわち、選択信号Select1がハイレベルの期間で各画素群のa1,b1,c1,d1,e1,f1の画素に階調信号に応じた駆動電圧がデータドライバ２１から出力され、駆動電圧に対応した電荷が保持コンデンサ３２に書き込まれる。この電荷は保持信号Source1がハイレベルの期間中保持されて、当該電荷に応じた電流が駆動トランジスタ３１から有機ＥＬ素子３４に供給されることで保持信号Source１がハイレベルの期間中、有機ＥＬ素子３４が点灯する。
【００３３】
同様に選択信号Select2に対応して各画素群のa2,b2,c2,d2,e2,f2の画素、および選択信号Select3に対応して各画素群のa3,b3,c3,d3,e3,f3の画素、選択信号Select4に対応して各画素群のa4,b4,c4,d4,e4,f4の画素に対して階調信号に応じた駆動電圧がデータドライバ２１から出力されて、各保持信号がハイレベルの期間中、対応する画素が点灯する。
【００３４】
以下に、上記した構成における問題点を説明する。露光ヘッド基板２３において、データドライバ２１からの出力信号が供給される複数の駆動信号線は、露光ヘッド基板２３の幅をできるだけ狭くするために、通常、近接して、互いに並列して配置される。このために、各駆動信号線間には、図３に示すように、寄生容量Cdataが生じている。すなわち、隣接した駆動信号線（図３の例では、駆動電圧Ｖdata1が印加される駆動信号線と駆動電圧Ｖdata2が印加される駆動信号線）間で、寄生容量Cdataが発生している。ここで、同じ保持信号線に接続されて同じタイミングで点灯する画素において、同じ選択信号線に接続されて同じタイミングで選択状態とされるとともに、隣接した駆動信号線に接続される画素がある。例えば図３では、画素a1と画素b1、あるいは画素a2と画素b2がそのような関係にある。このような画素間では、選択信号がハイレベルとなって画素が選択状態とされ、当該画素に電流が流れ始める時点と、選択信号がローレベルとなって画素への電流が遮断される過渡状態時に、駆動信号線間の容量結合によって、一方又は双方の画素に、データドライバ２１から画素へ供給される階調信号に対応した電流とは異なった電流が流れて、対応する画素の保時コンデンサ３２にそれに応じた電荷が書き込まれてしまうことがあるという問題点がある。例えば、同じ選択信号線に接続されるとともに隣接する駆動信号線に接続される画素間で最大階調の高い駆動電圧が印加される画素と非点灯のゼロ電圧が印加される画素とが存在する場合、非点灯であるべき画素に容量結合によって微小な電圧が印加されて僅かに点灯してしまう場合がある。
【００３５】
図５は、このような課題を解決するための、本発明に係る露光ヘッド基板２３の概略等価回路である。また、図６はその駆動タイミングチャートである。一例として、先述の図３、図４の場合と同じく、４つの画素からなる画素群を有して、各画素を順次選択状態として時分割駆動するように構成される。
【００３６】
本実施形態では、上記した従来の問題点を解決するために、同じ保持信号が供給されて同じ点灯タイミングを有し、隣接した駆動信号線に接続された画素の選択トランジスタ３３を選択状態とするのに、異なる選択信号線を用いて異なるタイミングで選択動作を行うことを特徴とする。以下にこれについて詳細に説明する。
【００３７】
図３では、選択信号Select1が印加される選択信号線は画素a1, b1,c1,d1,e1,f1に接続され、選択信号Select2が印加される選択信号線は画素a2, b2,c2,d2,e2,f2に接続され、選択信号Select3が印加される選択信号線は画素a3, b3,c3,d3,e3,f3に接続され、選択信号Select4が印加される選択信号線は画素a4, b4,c4,d4,e4,f4に接続されている。これに対して、図５に示す本実施形態における構成では、選択信号Select1の代わりに２つの選択信号Select11とSelect12を用い、選択信号Select11が印加される選択信号線をa1,c1,e1画素に接続するとともに、選択信号Select12が印加される選択信号線をb1,d1,f1画素に接続している。同様に、選択信号Select2の代わりに２つの選択信号Select21とSelect22を用い、選択信号Select21が印加される選択信号線をa2,c2,e2画素に接続するとともに、選択信号Select22が印加される選択信号線をb2,d2,f2画素に接続し、選択信号Select3の代わりに２つの選択信号Select31とSelect32を用い、選択信号Select31が印加される選択信号線をa3,c3,e3画素に接続するとともに、選択信号Select32が印加される選択信号線をb3,d3,f3画素に接続し、選択信号Select4の代わりに２つの選択信号Select41とSelect42を用い、選択信号Select41が印加される選択信号線をa4,c4,e4画素に接続するとともに、選択信号Select42が印加される選択信号線をb4,d4,f4画素に接続している。このように、本実施形態では、同じ発光タイミングを有し、選択トランジスタ３３に接続された駆動信号線（図５ではＶdata1とＶdata2）が隣接する２つの画素（例えばａ１とｂ１）の選択トランジスタ３３をそれぞれ別個の選択信号を用いて選択状態とすることを特徴とする。例えば、画素ａ１は保持トランジスタ３０と、駆動トランジスタ３１と、画素表示素子としての有機ＥＬ素子３４と、選択トランジスタ３３と、信号電荷を保持するための保持コンデンサ３２とを具備する。また、画素ｂ１は保持トランジスタ１３０と、駆動トランジスタ１３１と、画素表示素子としての有機ＥＬ素子１３４と、選択トランジスタ１３３と、信号電荷を保持するための保持コンデンサ１３２とを具備する。ここで、画素ａ１に接続され、駆動電圧Ｖdata1が供給される駆動信号線と、画素ｂ１に接続され、駆動電圧Ｖdata2が供給される駆動信号線とは隣接して寄生容量Ｃdataが発生している。そこで本実施形態では、画素ａ１については選択信号Select11によって選択動作を行い、画素ｂ１については選択信号Select12にいって選択動作を行うようにする。
【００３８】
このような構成によれば、データドライバ２１から各駆動信号線に駆動電圧Vdata1〜Vdata6に応じた電流が出力されているときに、選択信号Select11に応じてa1,c1,e1画素に対しての書き込みが行われ、選択信号Select12に応じてb1,d1,f1画素に対する書き込みが行われる。そして、保持信号Source1がハイレベルとされる期間でa1,b1,c1,d1,e1,f1画素が点灯する。同様にして、選択信号Select21に応じてa2,c2,e2画素に対して書き込みが行われ、選択信号Select22に応じてb2,d2,f2画素への書き込みが行われる。そして、Source2がハイレベルとされる期間でa2,b2,c2,d2,e2,f2が点灯する。以下同様にして、画素a3〜f3では選択信号Select31及び選択信号Select32での書き込みと保持信号Source3での点灯、画素a4〜f4では選択信号Select41及びSelect42での書き込みと保持信号Source4での点灯が行われる。このようにして、１ライン時間の全画素書き込みと点灯が行われる。
【００３９】
上記した手順によれば、隣接する駆動信号線に接続され、同じ点灯タイミングを有する画素間で書き込み期間がずれているので、駆動信号線間に寄生容量Cdataが存在しても、書き込み時にはデータドライバ２１からの駆動電圧の電圧値に従い、正しい信号電荷が保持コンデンサ３２に書き込まれ、隣接した駆動信号線に印加される駆動電圧の電圧値に影響されることはない。このようにして、同じ点灯タイミングを有し、隣接する駆動信号線に接続された画素間の駆動電圧の影響を排除することが出来る。
【図面の簡単な説明】
【００４０】
【図１】図１は、本発明が適用される電子写真システムの概略構成を示す図である。
【図２】図２は、図１で説明した露光器３に備えられた、従来の有機ＥＬヘッド部の構成を示す図である。
【図３】図３は、図２に示す露光ヘッド基板２３の概略等価回路である。
【図４】図４は、図３に示す概略等価回路の駆動タイミングチャートである。
【図５】図５は、本発明に係る露光ヘッド基板２３の概略等価回路である。
【図６】図６は、図５に示す概略等価回路の駆動タイミングチャートである。
【符号の説明】
【００４１】
１  感光体ドラム
２  帯電器
３  露光器
４  現像器
５  用紙
６  転写器
７  定着器
８  除電器
９  クリーナー
２０  システムコントローラ
２１，２１−１  データドライバ
２２，２２−１  スキャンドライバ
２３  露光ヘッド基板
【図１】
2008126589.tif 000003
【図２】
2008126589.tif 000004
【図３】
2008126589.tif 000005
【図４】
2008126589.tif 000006
【図５】
2008126589.tif 000007
【図６】
2008126589.tif 000008